(57)【要約】【課題】非除去用色材および除去用色材による印刷および後処理が可能な画像形成装置に対し、リユースに適した印刷および後処理を行わせるための技術を提供すること。【解決手段】  一般に、実施形態の制御方法は、非除去用色材を用いて画像形成を行う第１モードおよび除去用色材を用いて画像形成を行う第２モードを選択できる設定画面の制御方法である。制御方法は、  第１モードに設定している場合、設定画面において、記録媒体に穴を開ける穴あけ後処理および記録媒体に穴を開けない非穴あけ後処理を設定可とし、第２モードに設定している場合、設定画面において、穴あけ後処理を設定不可にするとともに、非穴あけ後処理を設定可にする。【選択図】図１７
2018072809.tif 000002
【特許請求の範囲】
【請求項１】
非除去用色材を用いて画像形成を行う第１モードおよび除去用色材を用いて画像形成を行う第２モードを選択できる設定画面の制御方法であって、
前記第１モードに設定している場合、前記設定画面において、記録媒体に穴を開ける穴あけ後処理および記録媒体に穴を開けない非穴あけ後処理を設定可とし、
前記第２モードに設定している場合、前記設定画面において、前記穴あけ後処理を設定不可にするとともに、前記非穴あけ後処理を設定可にする設定画面の制御方法。
【請求項２】
請求項１に記載の方法において、
前記設定画面において、前記第１モードから前記第２モードへの変更を受け付ける場合において、前記穴あけ後処理を設定している場合、前記第２モードにおいて前記穴あけ後処理を行う設定の解除を受け付ける第１解除画面を表示する方法。
【請求項３】
請求項２に記載の方法において、
前記穴あけ後処理は、複数枚の記録媒体をステープルを用いて綴じるステープル処理を含み、前記非穴あけ後処理は、複数枚の記録媒体をクリップを用いて綴じる非ダメージ綴じ処理を含み、
前記設定画面において、前記第１モードから前記第２モードへの変更を受け付ける場合において、前記ステープル処理を設定している場合、前記第１解除画面にて、前記ステープル処理から前記非ダメージ綴じ処理への変更を受け付け可能にする方法。
【請求項４】
請求項１から請求項３のいずれかに記載の方法において、
前記穴あけ後処理は、複数枚の記録媒体をステープルを用いて綴じるステープル処理を含み、前記非穴あけ後処理は、複数枚の記録媒体をクリップを用いて綴じる非ダメージ綴じ処理を含み、
前記設定画面において、前記第１モードから前記第２モードへの変更を受け付ける場合において、前記設定画面がプリントジョブの設定を行うものであり、前記非ダメージ綴じ処理を設定している場合、かつ、印刷枚数が所定枚数より多い場合、前記第２モードにおいて前記非ダメージ綴じ処理を行う設定の解除を受け付ける第２解除画面を表示する方法。
【請求項５】
請求項４に記載の方法において、
前記第２解除画面では、前記非ダメージ綴じ処理の解除と、前記第１モードおよび前記ステープル処理への変更とを受け付け可能にする方法。
【発明の詳細な説明】
【技術分野】
【０００１】
この明細書に記載の実施形態は、印刷に係る設定画面の制御技術に関する。
【背景技術】
【０００２】
従来、非消色性の色材を用いる非消色プリントおよび消色性の色材を用いる消色プリントのいずれも行うことができる画像形成装置がある（例えば特許文献１）。消色プリントされた記録媒体を加熱することで、画像を消色でき、記録媒体をリユースできる。
【先行技術文献】
【特許文献】
【０００３】
【特許文献１】特開２０１５−１６８０９３号公報
【発明の概要】
【発明が解決しようとする課題】
【０００４】
該装置において、ステープル処理できるものがある。該装置が消色プリント時にステープル処理を行った記録媒体をリユースするには、記録媒体の消色処理前に記録媒体からステープルを抜く必要がある。しかし、記録媒体からステープルを抜くと記録媒体に穴が残るという問題がある。
【０００５】
この明細書は、非除去用色材および除去用色材による印刷および後処理が可能な画像形成装置に対し、リユースに適した印刷および後処理を行わせるための技術を提供することを目的とする。
【課題を解決するための手段】
【０００６】
一般に、実施形態の設定画面の制御方法は、非除去用色材を用いて画像形成を行う第１モードおよび除去用色材を用いて画像形成を行う第２モードを選択できる設定画面の制御方法であって、第１モードに設定している場合、設定画面において、記録媒体に穴を開ける穴あけ後処理および記録媒体に穴を開けない非穴あけ後処理を設定可とし、第２モードに設定している場合、設定画面において、穴あけ後処理を設定不可にするとともに、非穴あけ後処理を設定可にする設定画面の制御方法。
【図面の簡単な説明】
【０００７】
【図１】画像形成装置の構成を示す図である。
【図２】ステープルによって綴じられた記録媒体束を示す図である。
【図３】ステープルが取り外された記録媒体束を示す図である。
【図４】クリップによって綴じられた記録媒体束を示す図である。
【図５】クリップが取り外された記録媒体束を示す図である。
【図６】コントローラによるジョブの処理を示すフローチャートである。
【図７】コントローラによるジョブの処理を示すフローチャートである。
【図８】フィニッシャの処理を示すフローチャートである。
【図９】画像形成装置のブロック図と、端末のブロック図である。
【図１０】印刷設定画面の制御処理を示すフローチャートである。
【図１１】印刷設定画面の制御処理を示すフローチャートである。
【図１２】印刷設定画面を示す図である。
【図１３】消色トナーモードを選択した際の設定画面を示す図である。
【図１４】設定画面および解除画面を示す図である。
【図１５】ＮＤＢの解除を選択した際の設定画面を示す図である。
【図１６】モノクロ＋ステープルを選択した際の設定画面を示す図である。
【図１７】解除画面を示す図である。
【図１８】消色トナー＋ＮＤＢを選択した際の設定画面を示す図である。
【図１９】モノクロ＋ステープルを選択した際の設定画面を示す図である。
【図２０】解除画面を示す図である。
【図２１】モノクロ＋パンチを選択した際の設定画面を示す図である。
【発明を実施するための形態】
【０００８】
以下、各実施形態について図面を参照しつつ説明する。
（第１実施形態）
図１は、画像形成装置１００の構成を示す図である。
画像形成装置１００は、装置本体１１０とフィニッシャ１２０（処理装置）とを備える。
【０００９】
装置本体１１０は、非除去用プリントジョブ、除去用プリントジョブ、除去ジョブを実行可能である。
【００１０】
非除去用プリントジョブは、非除去用色材により記録媒体に画像を形成するジョブを指す。本実施形態では、非除去用色材としてトナーを用いるので、非除去用プリントジョブは、プリント処理に加え、記録媒体を加熱して画像を記録媒体に定着させる定着処理を含む。
【００１１】
除去用プリントジョブは、除去用色材により記録媒体に画像を形成するジョブを指す。本実施形態では、除去用色材としてトナーを用いるので、除去用プリントジョブは、プリント処理に加え、記録媒体を加熱して画像を記録媒体に定着させる定着処理を含む。
【００１２】
除去ジョブは、除去用色材によって形成された記録媒体の画像を除去するジョブを指す。本実施形態では、除去ジョブでは、熱源１８により記録媒体を加熱することにより、記録媒体の画像を消色する。除去ジョブは、光を記録媒体に照射することにより記録媒体の画像を消色するものであってもよいし、記録媒体上の色材を、ブレード等で記録媒体上から除去するものであってもよい。
【００１３】
除去用色材は、例えば消色トナーであり、樹脂のほか、呈色性化合物、顕色剤、消色剤を含む。呈色性化合物は、例えば青に発色するロイコ染料が挙げられる。顕色剤は、例えばフェノール類が挙げられる。消色剤としては、加熱されると呈色性化合物と相溶し、顕色剤と親和性を有さない物質が挙げられる。消色性色材は、呈色性化合物と顕色剤との相互作用により発色し、消色温度以上の加熱により呈色性化合物と顕色剤との相互作用が絶たれて消色する。除去用色材は、加熱や光を照射されることにより消色するインクであってもよい。除去用色材は、記録媒体からブレード等により除去されるのに適したトナーやインクであってもよい。なお、この消色トナーの色は例えば青色である。
【００１４】
消色（画像の除去）とは、記録媒体の下地の色とは異なる色（有彩色のみならず白色および黒色等の無彩色を含む）の画像を視覚的に見えなくすること若しくは視覚的に見えにくくすることを意味する。視覚的に見えなくするとは、記録媒体の下地の色とは異なる色の画像が無色化（透明）する形態以外に、記録媒体の下地の色と異なる色の画像を記録媒体の下地の色と同一色または近似色に変色させることである。
【００１５】
非除去用色材は、除去を目的としない通常の色材であり、例えば顕色剤や消色剤を含まないトナーである。非除去用色材は、樹脂のほか、呈色剤としてカーボンを含むものであってもよい。
【００１６】
また、装置本体１１０は、コピージョブも実行可能である。装置本体１１０は、画像データとして読み取った原稿データを用いてコピージョブを生成する。コピージョブも、非除去用色材および除去用色材を用いて実行できる。以下では、非除去用プリントジョブを、非除去用色材により記録媒体に画像を形成する非除去用コピージョブと読み替えることが可能である。除去用プリントジョブを、除去用色材により記録媒体に画像を形成する除去用コピージョブと読み替えることが可能である。
【００１７】
記録媒体は、用紙、封筒、transparency等である。
【００１８】
装置本体１１０は、給紙カセット１１、１２、搬送路１３、搬送ローラ１４、第１画像形成部１５、第２画像形成部１６、熱源１８、コントローラ２０、ディスプレイ２１、および操作部２２を備える。
【００１９】
給紙カセット１１は、非除去用プリントジョブおよび除去用プリントジョブに用いられる記録媒体を積載する。
【００２０】
給紙カセット１２は、除去用色材による画像が形成された記録媒体であって、除去ジョブに用いられる記録媒体を積載する。
【００２１】
搬送路１３は、給紙カセット１１、１２からフィニッシャ１２０までの記録媒体の経路であり、記録媒体を下流に向かってガイドする。
搬送ローラ１４は、搬送路１３の適宜の位置にあり、記録媒体を下流に送る。
【００２２】
第１画像形成部１５は、記録媒体に非除去用色材による画像を形成する。第１画像形成部１５は、黒一色の非除去用色材のみで画像を形成するものとするが、複数色の非除去用色材を用いて画像を形成してもよい。第１画像形成部１５は、露光部１５０、第１感光体１５１、帯電チャージャ１５２、現像装置１５３など、画像形成に必要な構造を有する。帯電チャージャ１５２は、第１感光体１５１を帯電させる。露光部１５０は、レーザにより第１感光体１５１を露光し、第１感光体１５１上に静電潜像を形成する。現像装置１５３は、第１感光体１５１上の静電潜像を、非除去用色材を用いて現像し、第１感光体１５１上にトナー像を形成する。第１感光体１５１は、トナー像を転写ベルト１７上に転写する。転写ベルト１７は、トナー像を記録媒体に転写する。
【００２３】
第２画像形成部１６は、露光部１５０、第２感光体１６１、帯電チャージャ１６２、現像装置１６３など、画像形成に必要な構造を有する。帯電チャージャ１６２は、第２感光体１６１を帯電させる。露光部１６０は、レーザにより第２感光体１６１を露光し、第２感光体１６１上に静電潜像を形成する。現像装置１６３は、第２感光体１６１上の静電潜像を、除去用色材を用いて現像し、第２感光体１６１上にトナー像を形成する。第２感光体１６１は、トナー像を転写ベルト１７上に転写する。転写ベルト１７は、トナー像を記録媒体に転写する。
【００２４】
第１画像形成部１５および第２画像形成部１６は、それぞれが単独で画像を形成してもよい。第２画像形成部１６は、第１画像形成部１５が形成した非除去用色材による画像上に、除去用色材による画像を重ねて１枚の画像を形成してもよい。
【００２５】
第１画像形成部１５は、黒一色の非除去用色材のみで画像を形成するものとするが、複数色の非除去用色材を用いて画像を形成してもよい。第２画像形成部１６は、青一色の除去用色材のみで画像を形成するものとするが、複数色の除去用色材を用いて画像を形成してもよい。露光部１５０および転写ベルト１７は、第１画像形成部１５の要素、および第２画像形成部１６の要素を兼ねる。第２感光体１６１は、転写ベルト１７の回転方向において、転写ベルト１７から記録媒体への転写位置を終点とすると、第１感光体１５１の下流（終点の転写位置側）にある。第２感光体１６１は、第１感光体１５１の上流にあってもよい。
【００２６】
熱源１８は、ヒータ１８１、およびヒートローラ１８２を備える。
【００２７】
ヒータ１８１は、ヒートローラ１８２内にあり、ヒートローラ１８２を加熱する。
【００２８】
ヒートローラ１８２は、一対あり、記録媒体の各面に接触する。ヒートローラ１８２は、第１、第２画像形成部１５、１６が画像を形成した記録媒体を加熱し、記録媒体に画像を定着させる機能と、除去用色材による画像がある記録媒体を加熱し、該画像を消色する機能とを備える。
【００２９】
コントローラ２０は、プロセッサ２０１、メモリ２０２、およびＨＤＤ２０３(Hard Disk Drive)を備え、画像形成装置１００全体を制御する。コントローラ２０は、フィニッシャ１２０に対しても、フィニッシャ１２０のコントローラ２８を介してフィニッシャ１２０を制御する。プロセッサ２２１は、メモリ２０２やＨＤＤ２０３が格納するプログラムを実行することにより、画像形成装置１００の各種の機能を実現する。
【００３０】
ディスプレイ２１は、画像形成装置１００の設定情報や動作ステータス、ログ情報、操作者への通知を表示する。
操作部２２は、ボタンやキーを備え、操作者の入力を受け付ける。
【００３１】
フィニッシャ１２０は、装置本体１１０が画像を形成した記録媒体に対し、後処理を行う。フィニッシャ１２０は、排紙トレイ１９１〜１９３、搬送路２３、搬送ローラ２４、パンチャー２５（第１処理部）、ステープラー２６（第１処理部）、ＮＤＢユニット２７（第２処理部）、コントローラ２８を備える。
【００３２】
搬送路２３は、装置本体１１０から排紙トレイ１９１〜１９３までの記録媒体の経路であり、記録媒体を下流に向かってガイドする。
【００３３】
搬送ローラ２４は、搬送路２３の適宜の位置にあり、記録媒体を下流に送る。
【００３４】
フィニッシャ１２０は、非除去用色材により画像を形成した記録媒体を排紙トレイ１９１に排出する。フィニッシャ１２０は、除去用色材により画像を形成した記録媒体を排紙トレイ１９２に排出する。フィニッシャ１２０は、除去処理した記録媒体を排紙トレイ１９３に排出する。
【００３５】
搬送路２３において、装置本体１１０から下流に進んだ位置に分岐２３１がある。分岐２３１で枝分かれした搬送路２３は、各排紙トレイ１９１〜１９３に至る。分岐２３１の上流にパンチャー２５がある。
【００３６】
パンチャー２５は、記録媒体に穴を開ける。パンチャー２５が穴を開けた記録媒体の束の各穴にリングを通すことで、記録媒体束を綴じることができる。
【００３７】
ステープラー２６は、排紙トレイ１９１〜１９３に対応してある。ステープラー２６は、図２に示すように、記録媒体束にステープル２６１を打ち込み、記録媒体束を綴じる。除去用色材で画像が形成されてステープル処理された記録媒体の束をリユースする際には、図３に示すように、記録媒体束からステープル２６１を抜く必要がある。記録媒体束からステープル２６１を抜くと、記録媒体にステープル２６１による穴２６２が残り、記録媒体がリユースに好ましくない状態となる。
【００３８】
第１処理部は、第１、第２画像形成部１５、１６が画像を形成した記録媒体に対し、記録媒体に穴を開ける第１処理を行う。穴を開けるとは、切り欠きを形成することを含む。パンチャー２５およびステープラー２６は、第１処理部である。
【００３９】
ＮＤＢユニット２７は、記録媒体束に穴を開けることなく記録媒体束を綴じるＮＤＢ(No Damage Binding)処理を行う。図４に示すように、ＮＤＢユニット２７は、各記録媒体の短手方向の一方の縁が少しずつずれるように記録媒体束を作成する。ＮＤＢユニット２７は、記録媒体束の短手方向の一方の縁に、取り外し可能なＵ字状のクリップ２７１を取り付ける。クリップ２７１の内面には粘着性接着剤が塗布されている。
【００４０】
クリップ２７１は、綴じ対象の記録媒体束の全ての記録媒体の一方の縁に接触することで、記録媒体束を綴じる。クリップ２７１は、記録媒体に接着するだけなので、記録媒体からクリップ２７１を剥がしても、記録媒体に穴は開かない。従って、図５に示すように、記録媒体からクリップ２７１を剥がすと、記録媒体はリユース可能となる。
【００４１】
第２処理部は、第２画像形成部１６が画像を形成した記録媒体に対し、記録媒体に穴を開けない第２処理を行う。ＮＤＢユニット２７は、第２処理部である。
【００４２】
コントローラ２８は、プロセッサ２８１、メモリ２８２、およびＨＤＤ２８３を備え、装置本体１１０の制御下でフィニッシャ１２０を制御する。プロセッサ２８１は、メモリ２８２やＨＤＤ２８３が格納するプログラムを実行することにより、フィニッシャ１２０の各種の機能を実現する。
【００４３】
装置本体１１０のコントローラ２０は、操作部２２を介して自動ＮＤＰＰ(No Damage Post Processing)の設定・非設定を受け付ける。自動ＮＤＰＰとは、自動で後処理を行うか否かの設定である。自動ＮＤＰＰに設定されている場合、コントローラ２０は、ジョブが、除去用色材を用いた画像の形成（プリントおよびコピー）を含み、かつ記録媒体に穴を開ける第１処理を行うものである場合、以下の処理を行う。コントローラ２０は、ジョブの実行時に、第２画像形成部１６が画像を形成した記録媒体に対し、第１処理を行わずに記録媒体に穴を開けない第２処理を行う。
【００４４】
コントローラ２０は、自動ＮＤＰＰに設定されていない場合、ジョブが除去用色材を用いた画像の形成を含み、かつ記録媒体に穴を開ける第１処理を行う場合であっても、そのまま第１処理を行う。
【００４５】
以下、コントローラ２０による具体的なジョブの処理を図６を参照して説明する。以下では、コントローラ２０が実行するジョブは除去用プリントジョブであるものとする。図６及び後述する図７，８において、装置本体１１０およびフィニッシャ１２０は、プロセッサ２０１、２８１がメモリ２０２，２８２に記憶されたプログラムを実行することにより各処理を行う。
【００４６】
コントローラ２０は、除去用プリントジョブが条件を満たさない場合（Ａｃｔ１：ＮＯ）、除去用プリントジョブの設定を変更することなく、ジョブを実行する（Ａｃｔ２）。条件とは、自動ＮＤＰＰに設定されていること、除去用プリントジョブの後処理設定としてステープル処理が設定されていることが共に満たされることである。コントローラ２０は、メモリ２０２が記憶するこの条件を参照して除去用プリントジョブが条件を満たすか否かを判定する（Ａｃｔ１）。
【００４７】
従って、コントローラ２０は、自動ＮＤＰＰに設定されていない場合において、除去用プリントジョブにステープル処理が設定されている場合、ステープル処理を行う。
【００４８】
コントローラ２０は、除去用プリントジョブが条件を満たす場合において（Ａｃｔ１：ＹＥＳ）、ジョブの処理枚数が閾値未満の場合（Ａｃｔ３：ＹＥＳ）、以下の処理を行う。コントローラ２０は、除去用プリントジョブの後処理設定において、ステープル処理（第１処理）をＮＤＢ処理（第２処理）に切りかえる（Ａｃｔ４）。
【００４９】
コントローラ２０は、ジョブを実行する（Ａｃｔ５〜７）。具体的に、コントローラ２０は、第２画像形成部１６によって除去用色材により記録媒体に画像を形成した後、記録媒体をフィニッシャ１２０に送る。コントローラ２０は、該処理をジョブの処理枚数分行う（Ａｃｔ５）。
【００５０】
コントローラ２０は、フィニッシャ１２０を制御し、記録媒体束にＮＤＢユニット２７によってＮＤＢ処理を行い、記録媒体束を綴じる（Ａｃｔ６）。フィニッシャ１２０の制御とは、コントローラ２０がフィニッシャ１２０に対し、ＮＤＢ処理を行うこと、除去用プリントジョブの処理枚数、およびジョブの処理状況を通知することを含む。フィニッシャ１２０は、コントローラ２０から該通知を受信し、記録媒体束にＮＤＢ処理を行い、記録媒体束を綴じる。
【００５１】
コントローラ２０は、記録媒体束を排紙トレイ１９１に排出する（Ａｃｔ７）。
【００５２】
コントローラ２０は、除去用プリントジョブが条件を満たす場合において（Ａｃｔ１：ＹＥＳ）、ジョブの処理枚数が閾値以上の場合（Ａｃｔ３：ＮＯ）、以下の処理を行う。コントローラ２０は、除去用プリントジョブの後処理設定において、ステープル処理（第１処理）を非設定にする（ＡＣＴ８）。
【００５３】
コントローラ２０は、ジョブを実行する（Ａｃｔ９，７）。具体的に、コントローラ２０は、第２画像形成部１６によって除去用色材により記録媒体に画像を形成した後、記録媒体をフィニッシャ１２０に送る。コントローラ２０は、該処理をジョブの処理枚数分行う（Ａｃｔ９）。
【００５４】
コントローラ２０は、フィニッシャ１２０を制御し、各記録媒体を排紙トレイ１９１に排出する（Ａｃｔ７）。Ａｃｔ９，７において、画像形成後の記録媒体をステープル処理せずに排紙トレイ１９１に排出するコントローラ２０による処理は、記録媒体に穴を開けない第２処理となる。この場合、第２処理を行う第２処理部は、搬送路１３、２３および搬送ローラ１４、２４を含む搬送部である。搬送部は、第１画像形成部１５または第２画像形成部１６が画像を形成した記録媒体を排紙トレイ１９１まで搬送する。
【００５５】
（第２実施形態）
以下、コントローラ２０によるジョブの処理を図７を参照して説明する。以下では、コントローラ２０が実行するジョブは除去用プリントジョブであるものとする。
【００５６】
コントローラ２０は、除去用プリントジョブが条件を満たさない場合（Ａｃｔ１１：ＮＯ）、除去用プリントジョブの設定を変更することなく、ジョブを実行する（Ａｃｔ１２）。条件とは、自動ＮＤＰＰに設定されていること、除去用プリントジョブの後処理設定としてパンチ処理が設定されていることである。コントローラ２０は、メモリ２０２が記憶するこの条件を参照して除去用プリントジョブが条件を満たすか否かを判定する（Ａｃｔ１１）。
【００５７】
従って、コントローラ２０は、自動ＮＤＰＰに設定されていない場合において、除去用プリントジョブにパンチ処理が設定されている場合、パンチ処理（第１処理）を行う。
【００５８】
コントローラ２０は、除去用プリントジョブが条件を満たす場合（Ａｃｔ１１：ＹＥＳ）、除去用プリントジョブの後処理設定において、パンチ処理（第１処理）を非設定にする（Ａｃｔ１３）。
【００５９】
コントローラ２０は、ジョブを実行する（Ａｃｔ１４，１５）。具体的に、コントローラ２０は、除去用色材により記録媒体に画像を形成し（Ａｃｔ１４）、フィニッシャ１２０により記録媒体束を排紙トレイ１９１に排出する（Ａｃｔ１５）。Ａｃｔ１４，１５において、画像形成後の記録媒体をそのまま排紙トレイ１９１に排出するコントローラ２０による処理は第２処理である。この場合、第２処理をコントローラ２０の制御の下で行う第２処理部は、搬送路１３、２３、および搬送ローラ１４、２４を含む搬送部である。
【００６０】
（第３実施形態）
以下、フィニッシャ１２０のコントローラ２８によるジョブの処理を図８を参照して説明する。以下では、装置本体１１０が実行するジョブは除去用プリントジョブであるものとする。フィニッシャ１２０のコントローラ２８は、装置本体１１０から、装置本体１１０が実行するジョブの後処理設定の内容、ジョブの実行状況を受信する。
【００６１】
コントローラ２８は、装置本体１１０が実行する除去用プリントジョブが条件を満たさない場合（Ａｃｔ２１：ＮＯ）、除去用プリントジョブの後処理設定を変更することなく、該ジョブの後処理（第１処理）を実行する（Ａｃｔ２２）。条件とは、自動ＮＤＰＰに設定されていること、除去用プリントジョブの後処理設定としてステープル処理が設定されていることである。コントローラ２８は、メモリ２８２が記憶するこの条件を参照して除去用プリントジョブが条件を満たすか否かを判定する（Ａｃｔ２１）。
【００６２】
コントローラ２８は、装置本体１１０が実行する除去用プリントジョブが条件を満たす場合において（Ａｃｔ２１：ＹＥＳ）、ジョブの処理枚数が閾値未満の場合（Ａｃｔ２３：ＹＥＳ）、以下の処理を行う。コントローラ２８は、装置本体１１０が実行する除去用プリントジョブの後処理設定であって、該フィニッシャ１２０が実行する後処理設定において、ステープル処理（第１処理）をＮＤＢ処理（第２処理）に切りかえる（Ａｃｔ２４）。
【００６３】
コントローラ２８は、装置本体１１０から搬送される記録媒体の束に対し、ＮＤＢ処理を行う（Ａｃｔ２５）。コントローラ２８は、記録媒体束を排紙トレイ１９１に排出する（Ａｃｔ２６）。
【００６４】
コントローラ２８は、装置本体１１０が実行する除去用プリントジョブが条件を満たす場合において（Ａｃｔ２１：ＹＥＳ）、ジョブの処理枚数が閾値以上の場合（Ａｃｔ２３：ＮＯ）、後処理設定のステープル処理（第１処理）を非設定にする（Ａｃｔ２７）。
【００６５】
コントローラ２８は、装置本体１１０から搬送される記録媒体を排紙トレイ１９１に排出する（Ａｃｔ２６）。Ａｃｔ２６において、装置本体１１０から搬送される記録媒体をそのまま排紙トレイ１９１に排出するコントローラ２８の処理は第２処理である。この場合、第２処理をコントローラ２８による制御の下で行う第２処理部は、搬送路２３および搬送ローラ２４を含む搬送部である。搬送部は、装置本体１１０から搬送される記録媒体を排紙トレイ１９１まで搬送する。
【００６６】
第１〜第３実施形態によれば、以下の画像形成装置、ジョブの実行方法、および処理装置を提供できる。
１．非除去用色材を用いて記録媒体に画像を形成する第１画像形成部と、
除去用色材を用いて記録媒体に画像を形成する第２画像形成部と、
前記第１画像形成部または前記第２画像形成部が画像を形成した記録媒体に対し、前記記録媒体に穴を開ける第１処理を行う第１処理部と、
前記第１画像形成部または前記第２画像形成部が画像を形成した記録媒体に対し、前記記録媒体に穴を開けない第２処理を行う第２処理部と、
ジョブが、前記除去用色材を用いた画像の形成を含み、かつ前記第１処理を行うものである場合、前記ジョブの実行時に、前記除去用色材を用いて画像を形成した記録媒体に対し、前記第１処理を行わずに前記第２処理を行うコントローラと、
を備える画像形成装置。
２．１に記載の装置において、
前記第１処理部は、記録媒体束にステープルを打ち込むことで前記記録媒体束を綴じ、
前記第２処理部は、非ダメージ綴じ処理部を備え、前記非ダメージ綴じ処理部は、記録媒体束に取り外し可能なクリップを取り付けることで前記記録媒体束を綴じる非ダメージ綴じ処理を前記第２処理として行う。
３．２に記載の装置において、
前記第２処理部は、前記第２画像形成部が画像を形成した記録媒体を積載部まで搬送する搬送部を備え、
前記コントローラは、前記ジョブの設定において処理枚数が閾値以上の場合、前記ジョブの実行時に、前記第２画像形成部が画像を形成した記録媒体に対し、前記非ダメージ綴じ処理することなく前記積載部まで搬送する前記第２処理を前記搬送部によって行う。
４．１に記載の装置において、
前記除去用色材は、加熱することで消色する消色トナーである。
５．非除去用色材を用いた記録媒体への画像の形成、および除去用色材を用いた記録媒体への画像の形成を行うことができるとともに、画像を形成した記録媒体に対し、穴を開ける第１処理、および穴を開けない第２処理を行うことができる画像形成装置によるジョブの実行方法であって、
ジョブが、前記除去用色材を用いた画像の形成を含み、かつ前記第１処理を行うものである場合、前記ジョブの実行時に、前記除去用色材を用いて画像を形成した記録媒体に対し、前記第１処理を行わずに前記第２処理を行う。
６．５に記載の方法において、
前記第１処理では、記録媒体束にステープルを打ち込むことで記録媒体束を綴じ、
前記第２処理として、記録媒体束に取り外し可能なクリップを取り付けることで前記記録媒体束を綴じる非ダメージ綴じ処理を行う。
７．請求項６にジョブの設定において、
前記ジョブの設定において処理枚数が閾値以上の場合、前記ジョブの実行時に、前記除去用色材を用いて画像を形成した記録媒体に対し、前記非ダメージ綴じ処理することなく積載部まで搬送する前記第２処理を行う。
８．非除去用色材を用いた記録媒体への画像の形成、および除去用色材を用いた記録媒体への画像の形成を行うことができる画像形成装置が画像を形成した記録媒体に対し、処理を行う処理装置であって、
前記画像形成装置が画像を形成した記録媒体に対し、前記記録媒体に穴を開ける第１処理を行う第１処理部と、
前記画像形成装置が画像を形成した記録媒体に対し、前記記録媒体に穴を開けない第２処理を行う第２処理部と、
前記画像形成装置が実行するジョブが、前記除去用色材を用いた画像の形成を含み、かつ前記第１処理を行うものである場合、前記画像形成装置および前記処理装置による前記ジョブの実行時に、前記画像形成装置が画像を形成した記録媒体に対し、前記第１処理を行わずに前記第２処理を行うコントローラと、
を備える処理装置。
９．８に記載の装置において、
前記第１処理部は、記録媒体束にステープルを打ち込むことで前記記録媒体束を綴じ、
前記第２処理部は、非ダメージ綴じ処理部を備え、前記非ダメージ綴じ処理部は、記録媒体束に取り外し可能なクリップを取り付けることで前記記録媒体束を綴じる非ダメージ綴じ処理を前記第２処理として行う。
１０．９に記載の装置において、
前記第２処理部は、前記第２画像形成部が画像を形成した記録媒体を積載部まで搬送する搬送部を備え、
前記コントローラは、前記ジョブの設定において処理枚数が閾値以上の場合、前記ジョブの実行時に、前記第２画像形成部が画像を形成した記録媒体に対し、前記非ダメージ綴じ処理することなく前記積載部まで搬送する前記第２処理を前記搬送部によって行う。
【００６７】
（第４実施形態）
第１〜第３実施形態では、操作ミスにより、除去用プリントジョブが記録媒体に穴を開ける設定になっている。この場合、画像形成装置１００は、記録媒体に穴を開けないよう除去用プリントジョブの設定を変更する。
【００６８】
本実施形態では、印刷設定画面にて、操作ミスによりリユースに適さない設定が入力されることを防ぐように印刷設定画面を制御する。
【００６９】
図９は画像形成装置１００のブロック図と、端末３のブロック図である。
画像形成装置１００と端末３は互いの通信Ｉ／Ｆ１８３、３２を通じて接続されている。画像形成装置１００は第１の実施形態と同じハードウェア構成である。通信Ｉ／Ｆ１８３は、画像形成装置１００が外部の端末３と有線または無線により通信するためのインターフェースである。画像形成装置１００は、端末３から受信するプリントジョブを実行できる。
【００７０】
画像形成装置１００は、プリント、コピー、スキャナ、ＦＡＸ等の複数の機能を実行できるＭＦＰ(Multi-Function Peripheral)である。画像形成装置１００は、スキャナを備え、記録媒体上の画像を読み取ることができる。画像形成装置１００は、読み取った画像データを外部の端末にＦＡＸ送信したり、Ｅｍａｉｌ送信したりできる。画像形成装置１００は、読み取った画像データに基づきシートに画像を形成できる。
【００７１】
端末３は、例えばＰＣ(Personal Computer)である。端末３は、コントローラ３１、通信Ｉ／Ｆ３２、ディスプレイ３３、操作部３４を備える。コントローラ３１は、プロセッサ３１１、メモリ３１２、ＨＤＤ３１３を備える。操作部３４は、キーボードやマウス、タッチパネル等であり、操作者の操作を受け付ける。
【００７２】
端末３は、画像形成装置１００に対応する印刷設定画面９（図１２参照）を表示し、印刷の設定を受け付けることができる。端末３は、印刷設定に基づいてプリントジョブを生成し、画像形成装置１００に送信できる。
【００７３】
以下、図１０、図１１のフローチャートを参照しながら、印刷設定画面９の制御処理を説明する。該制御処理は、プロセッサ３１１がメモリ３１２に記憶されたプリンタドライバ等のプログラムを実行することにより行われる。
【００７４】
図１２は、印刷設定画面９を示す図である。
端末３（プロセッサ３１１）は、画像形成装置１００に固有のプリンタドライバをメモリ３１２から読み込み、印刷設定画面９をディスプレイ３３に表示する（Ａｃｔ３１）。以下、印刷設定画面９を設定画面９と略すことがある。
【００７５】
設定画面９には、画像のカラーの設定欄９１、ステープル処理の設定欄９２、ＮＤＢ処理の設定欄９３、パンチ処理の設定欄９４、およびＯＫボタン９５がある。
【００７６】
カラーの設定欄９１が操作者に選択されると、端末３は、プルダウンリスト９１１を表示する。プルダウンリスト９１１には、「モノクロ」および「消色トナー」が表示される。
【００７７】
「モノクロ」は、黒色の非除去用色材を用いて画像形成を行うモノクロモード（第１モード）を示す。「消色トナー」は、青色の除去用色材を用いて画像形成を行う消色トナーモード（第２モード）を示す。
【００７８】
端末３は、プルダウンリスト９１１により、モノクロモードおよび消色トナーモードの選択を受け付ける。
【００７９】
デフォルトは、モノクロモードである。
【００８０】
ステープル処理の設定欄９２には、アイコン９２１〜９２６が表示される。アイコン９２１は、ステープル処理をしないことを示す。端末３は、アイコン９２１が選択されると、ステープル処理を設定しない。アイコン９２２〜９２６は、記録媒体におけるステープル処理の位置を示す。端末３は、アイコン９２２〜９２６が選択されると、ステープル処理の位置をアイコン９２２〜９２６が示す位置に設定する。
【００８１】
ＮＤＢ処理の設定欄９３には、アイコン９３１〜９３３が表示される。アイコン９３１は、ＮＤＢ処理をしないことを示す。端末３は、アイコン９３１が選択されると、ＮＤＢ処理を設定しない。アイコン９３２、９３３は、記録媒体に対するＮＤＢ処理の位置を示す。端末３は、アイコン９３２、９３３が選択されると、ＮＤＢ処理の位置をアイコン９３２、９３３が示す位置に設定する。
【００８２】
パンチ処理の設定欄９４には、アイコン９４１〜９４３が表示される。アイコン９４１は、パンチ処理をしないことを示す。端末３は、アイコン９４１が選択されると、パンチ処理を設定しない。アイコン９４２、９４３は、記録媒体に対するパンチ処理の位置を示す。端末３は、アイコン９４２、９４３が選択されると、パンチ処理の位置をアイコン９４２、９４３が示す位置に設定する。
【００８３】
デフォルトでは、後処理であるステープル処理、ＮＤＢ処理、およびパンチ処理は、いずれも設定されない。従って、デフォルトの設定画面９では、図１２に示すように、アイコン９２１，９３１，９４１が選択された状態となる。
【００８４】
なお、後処理のうち、ステープル処理およびパンチ処理は、記録媒体に穴を開ける穴あけ後処理である。ステープル処理とは、数枚の記録媒体を、ステープルを用いて綴じる処理を指す。パンチ処理は、記録媒体を打ち抜いて記録媒体に穴を開ける処理を指す。
【００８５】
端末３は、設定画面９にて、例えばステープルのアイコン９２２の選択を受け付ける等して、後処理の設定を受け付ける（Ａｃｔ３２）。
【００８６】
端末３は、カラーモードの設定を受け付けるか、後処理設定を受け付けるかを判定する（Ａｃｔ３３）。
【００８７】
端末３は、後処理設定を受け付ける場合（Ａｃｔ３３：ＮＯ）、受け付けた後処理設定に設定する（Ａｃｔ３４）。
【００８８】
本実施形態では、後述するように、カラーモードの選択を受け付けると、受け付けるカラーモードによっては、受け付け可能な後処理設定を規制する。また、端末３は、カラーモードの選択を受け付けた際の後処理設定によっては、警告画面を表示する。
【００８９】
しかし、端末３は、後処理設定を受け付ける場合には（Ａｃｔ３３：ＮＯ）、そのまま該後処理設定に設定し（Ａｃｔ３４）、カラーモードの選択を規制したり、警告画面を表示したりはしない。
【００９０】
端末３は、ＯＫボタン９５を受け付けると（Ａｃｔ３７：ＹＥＳ）、設定画面９の制御処理を終了する。端末３は、カラーの設定や後処理設定に基づいてプリントジョブを生成し、プリントジョブを画像形成装置１００に送信する。
【００９１】
端末３は、他の項目の設定を受け付ける場合（Ａｃｔ３７：ＮＯ）、Ａｃｔ３２の処理を行う。
【００９２】
端末３は、Ａｃｔ３２にて、カラーの設定欄９１によりモノクロモードの選択を受け付けると（Ａｃｔ３３：ＹＥＳ，Ａｃｔ３５：ＹＥＳ）、モノクロモードに設定する（Ａｃｔ３６）。
【００９３】
この際、端末３は、いずれの後処理設定も受け付け可能な状態にする。端末３は、図１２に示すように、後処理設定の設定欄９２〜９４において、各アイコン９２１〜９２６、９３１〜９３３、９４１〜９４３を選択可能にする。後述するが、消色トナーモードに設定している場合、図１３に示すように、ＮＤＢ処理のみ設定可能となる。端末３は、消色トナーモードからモノクロモードに設定を切りかえる場合、設定画面９をステープル処理およびパンチ処理の設定も可能な図１２の設定画面９に遷移させる。
【００９４】
続いて、端末３が、Ａｃｔ３２にて、カラーの設定欄９１により消色トナーモードの選択を受け付ける場合（Ａｃｔ３３：ＹＥＳ，Ａｃｔ３５：ＮＯ）について説明する。
【００９５】
この場合において、後処理設定の設定がされていない場合（Ａｃｔ３８：無し）、すなわちアイコン９２１，９３１，９４１が選択された状態にある場合、端末３は、消色トナーモードに設定する（Ａｃｔ３９）。
【００９６】
この際、端末３は、図１３に示すように、ステープル処理およびパンチ処理の設定欄９２，９４にて、アイコン９２１、９４１を選択した状態のままにする。そして、端末３は、他のアイコン９２２〜９２６、９４２，９４３をグレイアウトし、選択不可の状態にする。
【００９７】
操作者は、消色トナーモードに設定する場合、記録媒体のリユースを意図している。そこで、端末３は、記録媒体に穴を開けるステープル処理およびパンチ処理（穴あけ後処理）を設定不可（受け付け不可）にし、記録媒体に穴を開けないＮＤＢ処理（非穴あけ後処理）のみ設定可（受付可）とする。
【００９８】
図１４は、設定画面９および解除画面８１（第２解除画面）を示す図である。
端末３が、カラーの設定欄９１にて消色トナーモードの選択を受け付ける場合にＮＤＢ処理の設定がされている場合（Ａｃｔ３８：ＮＤＢ）、以下の条件により解除画面８１を表示する（Ａｃｔ４２）。条件は、ジョブがプリントジョブであり（Ａｃｔ４０：ＹＥＳ）、プリント対象のファイルのページ数が所定枚数より多いことである（Ａｃｔ４１：ＮＯ）。
【００９９】
なお、端末３は、カラーの設定欄９１にて消色トナーモードの選択を受け付ける際に、設定欄９１の表記を消色トナーにする。また、図１４の設定画面９では、ＮＤＢ処理の設定がされているため、アイコン９３２が選択された状態となっている。
【０１００】
解除画面８１には、「ＮＤＢの解除」が記されたボタン８１１と、「モノクロ＋ステープル」が記されたボタン８１２と、以下の文が表示される。「ページ数が多くてＮＤＢ処理できません。以下の２つから選択してください。」
【０１０１】
操作者は、消色トナーモードを維持するためにＮＤＢ処理の設定を解除してもよい場合、「ＮＤＢの解除」ボタン８１１を選択する。この場合、消色トナーモードは維持され、ＮＤＢ処理の設定は解除される。
【０１０２】
操作者は、綴じ処理を希望するために消色トナーモードを解除してもよい場合、「モノクロ＋ステープル」ボタン８１２を選択する。この場合、モノクロモードに変更されるとともに、後処理設定がＮＤＢ処理からステープル処理に変更される。
【０１０３】
端末３は、ボタン８１１の選択を受け付けると（Ａｃｔ４３：ＹＥＳ）、ＮＤＢ処理の設定を解除し、消色トナーモードに設定する（Ａｃｔ４４）。この場合、図１５に示すように、解除画面８１は消え、ＮＤＢ処理の設定欄９３では、ＮＤＢ処理の設定がされていないことを示すアイコン９３１が選択された状態となる。
【０１０４】
端末３は、Ａｃｔ３９と同様、設定画面９にて、アイコン９２２〜９２６、９４２、９４３をグレイアウトしステープル処理およびパンチ処理を設定不可にし、ＮＤＢ処理のみ設定可とする。
【０１０５】
端末３は、ボタン８１２の選択を受け付けると（Ａｃｔ４３：ＮＯ）、消色トナーモードおよびＮＤＢ処理の設定を解除し、モノクロモードおよびステープル処理に設定する（Ａｃｔ４５）。図１６に示すように、解除画面８１は消え、カラーの設定欄９１においてモノクロモードが選択された状態となる。ＮＤＢ処理の設定欄９３では、アイコン９３１が選択された状態となる。
【０１０６】
ステープル処理の設定は、この場合のデフォルトの設定に設定される。ステープル処理の設定欄９２において、デフォルトの設定に対応するアイコン９２２が選択された状態となる。
【０１０７】
なお、端末３は、操作者にボタン８１１，８１２を選択させず、強制的にＮＤＢ処理の設定の解除またはモノクロモードおよびステープル処理の設定を行ってもよい。
【０１０８】
端末３は、ページ数が所定枚数以内の場合（Ａｃｔ４１：ＹＥＳ）、操作者から受け付けたカラーモードである消色トナーモードに設定し、ＮＤＢ処理の設定を維持する（Ａｃｔ４６）。この際、端末３は、Ａｃｔ３９と同様、設定画面９にて、アイコン９２２〜９２６、９４２、９４３をグレイアウトしステープル処理およびパンチ処理を設定不可にし、ＮＤＢ処理のみ設定可とする。
【０１０９】
本実施形態では、端末３のディスプレイ２１に表示する印刷の設定画面９の制御について説明している。しかし、該処理は、画像形成装置１００のディスプレイ２１にてコピージョブを受け付ける際の設定画面９の制御にも適用できる。この場合において、ＮＤＢ処理に設定されている状態で、モノクロモードから消色トナーモードへの変更を受け付ける場合には（Ａｃｔ３８：ＮＤＢ、Ａｃｔ４０：ＮＯ）、端末３は、消色トナーモードに設定するとともに、ＮＤＢ処理の設定を維持する（Ａｃｔ４６）。
【０１１０】
端末３は、Ａｃｔ３９、４４〜４６の後、Ａｃｔ３７の処理を行う。
【０１１１】
図１７は、解除画面８２（第１解除画面）を示す図である。
ステープル処理に設定されている状態で、消色トナーモードへの変更を受け付けた際に（Ａｃｔ３８：パンチorステープル、Ａｃｔ４７：ＹＥＳ）、端末３は、解除画面８２を表示する（Ａｃｔ４８）。解除画面８２には、「消色トナー＋ＮＤＢ」が記されたボタン８２１と、「モノクロ＋ステープル」が記されたボタン８２２と、以下の文が表示される。「消色トナーモードとステープル処理とは同時に設定できません。以下の２つから選択してください。」
【０１１２】
操作者は、消色トナーモードを維持するためにステープル処理をＮＤＢ処理に変更してもよい場合、「消色トナー＋ＮＤＢ」ボタン８２１を選択する。この場合、消色トナーモードは維持されるとともに、後処理設定がステープル処理からＮＤＢ処理に変更される。
【０１１３】
操作者は、綴じ処理を希望するために消色トナーモードを解除してもよい場合、「モノクロ＋ステープル」ボタン８２２を選択する。この場合、モノクロモードに変更されるとともに、後処理設定はステープル処理に維持される。
【０１１４】
端末３は、ボタン８２１の選択を受け付けると（Ａｃｔ４９：ＹＥＳ）、ステープル処理をＮＤＢ処理に設定変更し、消色トナーモードに設定する（Ａｃｔ５０）。図１８に示すように、解除画面８２は消える。ステープル処理の設定欄９２では、アイコン９２１が選択された状態となる。ＮＤＢ処理の設定は、この場合のデフォルトの設定に設定される。ＮＤＢ処理の設定欄９３において、デフォルトの設定に対応するアイコン９３２が選択された状態となる。
【０１１５】
端末３は、Ａｃｔ３９と同様、アイコン９２２〜９２６、９４２、９４３をグレイアウトし、ステープル処理およびパンチ処理を設定不可にし、ＮＤＢ処理のみ設定可とする。
【０１１６】
端末３は、ボタン８２２の選択を受け付けると（Ａｃｔ４９：ＮＯ）、消色トナーモードからモノクロモードへ設定変更する（Ａｃｔ５１）。図１９に示すように、解除画面８２は消え、カラーの設定欄９１ではモノクロが選択された状態となる。
【０１１７】
なお、端末３は、操作者に選択させず、強制的にステープル処理からＮＤＢ処理への設定変更、または消色トナーモードからモノクロモードへの設定変更を行うようにしてもよい。また、端末３は、解除画面８２にて、ステープル処理を単に解除する処理も受け付け可能にしてもよい。
【０１１８】
図２０は、解除画面８３（第１解除画面）を示す図である。
パンチ処理に設定されている状態で、消色トナーモードへの変更を受け付けた際に（Ａｃｔ３８：パンチorステープル、Ａｃｔ４７：ＮＯ）、端末３は、解除画面８３を表示する（Ａｃｔ５２）。解除画面８３には、「パンチの解除」が記されたボタン８３１と、「モノクロ＋パンチ」が記されたボタン８３２と、以下の文が表示される。「消色トナーモードとパンチ処理とは同時に設定できません。以下の２つから選択してください。」
【０１１９】
操作者は、消色トナーモードを維持するためにパンチ処理を解除してもよい場合、「パンチの解除」ボタン８３１を選択する。この場合、消色トナーモードは維持されるとともに、パンチ処理の設定は解除される。
【０１２０】
操作者は、パンチ処理を希望するために消色トナーモードを解除してもよい場合、「モノクロ＋パンチ」ボタン８３２を選択する。この場合、モノクロモードに変更されるとともに、パンチ処理の設定は維持される。
【０１２１】
端末３は、ボタン８３１の選択を受け付けると（Ａｃｔ５３：ＹＥＳ）、パンチ処理の設定を解除し、消色トナーモードに設定する（Ａｃｔ５４）。図１５に参照されるように、端末３は、解除画面８３を消し、パンチ処理の設定欄９４では、アイコン９４１が選択された状態にする。端末３は、Ａｃｔ３９と同様、アイコン９２２〜９２６、９４２、９４３をグレイアウトし、ステープル処理およびパンチ処理を設定不可にし、ＮＤＢ処理のみ設定可とする。
【０１２２】
端末３は、ボタン８３２の選択を受け付けると（Ａｃｔ５３：ＮＯ）、消色トナーモードからモノクロモードへ設定変更する（Ａｃｔ５５）。図２１に示すように、解除画面８３は消え、カラーの設定欄９１ではモノクロが選択された状態となる。
【０１２３】
なお、端末３は、操作者に選択させず、強制的にパンチ処理の解除、または消色トナーモードからモノクロモードへの設定変更を行うようにしてもよい。
【０１２４】
端末３は、Ａｃｔ５０，５１，５４，５５の後、Ａｃｔ３７の処理を行う。
【０１２５】
（変形例）
コントローラ２０（またはコントローラ２８）が実行するプリントジョブは、除去用色材により画像を形成するページと、非除去用色材により画像を形成するページとが混ざっていてもよい。この場合であっても、コントローラ２０が第１処理（例えばステープル処理）をＮＤＢ処理に切りかえる条件は、自動ＮＤＰＰに設定されていること、ジョブの後処理設定として第１処理（例えばステープル処理）が設定されていることである。
【０１２６】
第１実施形態における条件は、ジョブが自動ＮＤＰＰに設定されていること、およびジョブの後処理設定としてパンチ処理が設定されていることであってもよい。
【０１２７】
以上に詳述したように、この明細書に記載の技術によれば、非除去用色材および除去用色材による印刷および後処理が可能な画像形成装置に対し、リユースに適した印刷および後処理を行わせるための技術を提供できる。また、この明細書に記載の技術によれば、除去用色材を用いる印刷設定を受け付ける場合に、記録媒体の再利用に適した設定を受け付ける技術を提供できる。
【符号の説明】
【０１２８】
９…設定画面、８１…第２解除画面、８２…第１解除画面。
【図１】
2018072809.tif 000003
【図２】
2018072809.tif 000004
【図３】
2018072809.tif 000005
【図４】
2018072809.tif 000006
【図５】
2018072809.tif 000007
【図６】
2018072809.tif 000008
【図７】
2018072809.tif 000009
【図８】
2018072809.tif 000010
【図９】
2018072809.tif 000011
【図１０】
2018072809.tif 000012
【図１１】
2018072809.tif 000013
【図１２】
2018072809.tif 000014
【図１３】
2018072809.tif 000015
【図１４】
2018072809.tif 000016
【図１５】
2018072809.tif 000017
【図１６】
2018072809.tif 000018
【図１７】
2018072809.tif 000019
【図１８】
2018072809.tif 000020
【図１９】
2018072809.tif 000021
【図２０】
2018072809.tif 000022
【図２１】
2018072809.tif 000023